(57)【特許請求の範囲】
【請求項１】
印刷装置と、消色性着色剤により画像形成された記録媒体の画像の色を消色する消去装置とを備えるシステムに提供される環境貢献支援装置であって、
前記印刷装置による一の印刷ジョブの印刷面数と印刷枚数とを取得し、前記印刷面数と印刷枚数との差から所定期間における全印刷ジョブの両面印刷による用紙削減枚数の総和を算出する両面削減算出部と、
前記印刷装置による一の印刷ジョブの印刷面数と集約設定値とを取得し、前記印刷面数と集約設定値とに基づいて前記所定期間における全印刷ジョブの集約印刷による用紙削減枚数の総和を算出する集約削減算出部と、
前記両面削減算出部で算出した両面印刷による用紙削減枚数と前記集約削減算出部で算出した集約印刷による用紙削減枚数との和と、前記所定期間に実行した全印刷ジョブの印刷面数との商から用紙の削減率を算出する用紙削減率算出部と、
複数のキャラクタを記憶したメモリから、前記用紙削減率算出部で算出した削減率に応じて前記キャラクタの一つを選択する印刷状況キャラクタ選択部と、
前記消去装置の一の消色ジョブで消色に成功した用紙再利用枚数を取得し、前記所定期間における全消色ジョブの再利用枚数の総和を算出し、前記再利用枚数の総和と、前記所定期間の印刷枚数との商から用紙の再利用率を算出する用紙再利用率算出部と、
前記複数のキャラクタを記憶したメモリから、前記用紙再利用率算出部で算出した用紙の再利用率に応じて前記キャラクタの一つを選択する再利用状況キャラクタ選択部と、
前記用紙削減率算出部で算出した用紙の削減率に基づき、用紙の削減に関する第１のメッセージを選択する用紙削減メッセージ選択部と、
前記用紙再利用算出部で算出した用紙の再利用率に基づき、用紙の再利用に関する第２のメッセージを選択する用紙再利用メッセージ選択部と、
前記第１のメッセージ、前記第２のメッセージの提示の順番を設定するアドバイス設定部と、
前記印刷状況キャラクタ選択部で選択したキャラクタと、前記再利用状況キャラクタ選択部で選択したキャラクタと、前記アドバイス設定部で設定した順に前記第１のメッセージと前記第２のメッセージとを読み出して所定のフォームに編集するレポート作成部と、を備える環境貢献支援装置。
【請求項２】
前記メモリに記憶される複数のキャラクタは顔の形状をなし、前記用紙の削減率、若しくは前記用紙の再利用率のレベルに応じて顔の表情を変化させる請求項１に記載の環境貢献支援装置。
【請求項３】
前記システムにログインするユーザを識別するログイン処理部を備え、前記両面削減算出部で算出した両面印刷による削減枚数と、前記集約削減算出部で算出した集約印刷による削減枚数と、前記用紙再利用率算出部で算出した再利用枚数との和から、前記ログインユーザ全体の中での順位を決定する順位・ランク決定部を備える請求項１に記載の環境貢献支援装置。
【請求項４】
前記ログイン処理部でユーザを識別する毎に、前記順位・ランク決定部で決定される順位を記憶し、前記順位・ランク決定部は、当該ユーザの今回の順位と前回の順位とを比較してランクアップ、ランク変わらず、またはランクダウンをキャラクタで表示する請求項３に記載の環境貢献支援装置。
【請求項５】
前記アドバイス設定部で設定される前記第１のメッセージ、前記第２のメッセージの提示の順番は、褒めるメッセージを先に出す請求項１に記載の環境貢献支援装置。
【請求項６】
印刷装置と、消色性着色剤により画像形成された記録媒体の画像の色を消色する消去装置とを備えるシステムに提供される環境貢献支援装置であって、
前記印刷装置による一の印刷ジョブの印刷面数と印刷枚数とを取得し、前記印刷面数と印刷枚数との差から所定期間における全印刷ジョブの両面印刷による用紙削減枚数の総和を算出する両面削減算出部と、
前記印刷装置による一の印刷ジョブの印刷面数と集約設定値とを取得し、前記印刷面数と集約設定値とに基づいて前記所定期間における全印刷ジョブの集約印刷による用紙削減枚数の総和を算出する集約削減算出部と、
前記両面削減算出部で算出した両面印刷による用紙削減枚数と前記集約削減算出部で算出した集約印刷による用紙削減枚数との和と、前記所定期間に実行した全印刷ジョブの印刷面数との商から用紙の削減率を算出する用紙削減率算出部と、
前記消去装置の一の消色ジョブで消色に成功した用紙再利用枚数を取得し、前記所定期間における全消色ジョブの再利用枚数の総和を算出し、前記再利用枚数の総和と、前記所定期間の印刷枚数との商から用紙の再利用率を算出する用紙再利用率算出部と、
前記両面削減算出部で算出した両面印刷による用紙の削減枚数と、前記集約削減算出部で算出した集約印刷による用紙の削減枚数と、前記用紙再利用率算出部で算出した用紙再利用枚数との和から環境負荷低減に関する点数を算出する点数算出部と、
複数のキャラクタを記憶したメモリから、前記点数算出部で算出した点数に応じてキャラクタの一つを選択するキャラクタ選択部と、
前記用紙削減率算出部で算出した用紙の削減率に基づき、用紙の削減に関する第１のメッセージを選択する用紙削減メッセージ選択部と、
前記用紙再利用算出部で算出した用紙の再利用率に基づき、用紙の再利用に関する第２のメッセージを選択する用紙再利用メッセージ選択部と、
前記第１のメッセージ、前記第２のメッセージの提示の順番を設定するアドバイス設定部と、
前記キャラクタ選択部で選択したキャラクタと、前記アドバイス設定部で設定した順に前記第１のメッセージと前記第２のメッセージとを読み出して所定のフォームに編集するレポート作成部と、を備える環境貢献支援装置。
【請求項７】
前記システムにログインするユーザを識別するログイン処理部を備え、前記ユーザが所属するグループに対する用紙の削減枚数と用紙再利用枚数との和からグループの節約枚数を算出するグループ削減算出部とを備える請求項６に記載の環境貢献支援装置。
【請求項８】
印刷装置と、消色性着色剤により画像形成された記録媒体の画像の色を消色する消去装置とを備えるシステムに提供される環境貢献支援方法であって、
前記印刷装置による一の印刷ジョブの印刷面数と印刷枚数とを取得し、前記印刷面数と印刷枚数との差から所定期間における全印刷ジョブの両面印刷による用紙削減枚数の総和を算出し、
前記印刷装置による一の印刷ジョブの印刷面数と集約設定値とを取得し、前記印刷面数と集約設定値とに基づいて所定期間における全印刷ジョブの集約印刷による用紙削減枚数の総和を算出し、
前記両面印刷による用紙削減枚数と前記集約印刷による用紙削減枚数との和と、前記所定期間に実行した全印刷ジョブの印刷面数との商から用紙の削減率を算出し、
複数のキャラクタを記憶したメモリから、前記用紙の削減率に応じて前記キャラクタの一つを選択し、
前記消去装置の一の消色ジョブで消色に成功した用紙再利用枚数を取得し、前記所定期間における全消色ジョブの再利用枚数の総和を算出し、前記再利用枚数の総和と、前記所定期間における印刷枚数との商から用紙の再利用率を算出し、
前記複数のキャラクタを記憶したメモリから、前記用紙の再利用率に応じて前記キャラクタの一つを選択し、
前記用紙の削減率に基づき、用紙削減に関する第１のメッセージを選択し、
前記用紙の再利用率に基づき、用紙再利用に関する第２のメッセージを選択し、
前記第１のメッセージ、前記第２のメッセージの提示の順番を設定し、
前記用紙の削減率に応じたキャラクタと、前記用紙の再利用率に応じたキャラクタと、前記設定された順番で前記第１のメッセージと前記第２のメッセージとを読み出して所定のフォームに編集してレポートを作成する環境貢献支援方法。
【請求項９】
前記メモリに記憶される複数のキャラクタは顔の形状をなし、前記用紙の削減率、若しくは前記用紙の再利用率のレベルに応じて顔の表情を変化させる請求項８に記載の環境貢献支援方法。
【請求項１０】
前記システムにログインするユーザを識別し、前記両面印刷による用紙削減枚数と、前記集約印刷による用紙削減枚数と、前記用紙の再利用枚数との和から、前記ログインユーザ全体の中での順位・ランクを決定する請求項８に記載の環境貢献支援方法。
【請求項１１】
前記ユーザを識別する毎に決定される順位を記憶し、当該ユーザの今回の順位と前回の順位とを比較してランクアップ、ランク変わらず、またはランクダウンをキャラクタで表示する請求項１０に記載の環境貢献支援方法。
【請求項１２】
前記第１のメッセージ、前記第２のメッセージの提示の順番は、褒めるメッセージを先に出す請求項８に記載の環境貢献支援方法。
【請求項１３】
印刷装置と、消色性着色剤により画像形成された記録媒体の画像の色を消色する消去装置とを備えるシステムに提供される環境貢献支援方法であって、
前記印刷装置による一の印刷ジョブの印刷面数と印刷枚数とを取得し、前記印刷面数と印刷枚数との差から所定期間における全印刷ジョブの両面印刷による用紙削減枚数の総和を算出し、
前記印刷装置による一の印刷ジョブの印刷面数と集約設定値とを取得し、前記印刷面数と集約設定値とに基づいて前記所定期間における全印刷ジョブの集約印刷による用紙削減枚数の総和を算出し、
前記両面印刷による用紙削減枚数と前記集約印刷による用紙削減枚数との和と、前記所定期間に実行した全印刷ジョブの印刷面数との商から用紙の削減率を算出し、
前記消去装置の一の消色ジョブで消色に成功した用紙再利用枚数を取得し、前記所定期間における全消色ジョブの再利用枚数の総和を算出し、前記再利用枚数の総和と、前記所定期間の印刷枚数との商から用紙の再利用率を算出し、
前記両面印刷による用紙の削減枚数と、前記集約印刷による用紙の削減枚数と、前記用紙再利用枚数との和から環境負荷低減に関する点数を算出し、
複数のキャラクタを記憶したメモリから、前記算出した点数に応じてキャラクタの一つを選択し、
前記用紙の削減率に基づき、用紙削減に関する第１のメッセージを選択し、
前記用紙の再利用率に基づき、用紙再利用に関する第２のメッセージを選択し、
前記第１のメッセージ、前記第２のメッセージの提示の順番を設定し、
前記選択されたキャラクタと、前記設定された順番で前記第１のメッセージと前記第２のメッセージとを読み出して所定のフォームに編集してレポートを作成する環境貢献支援方法。
【請求項１４】
前記システムにログインするユーザを識別し、前記ユーザが所属するグループに対する用紙の削減枚数と用紙再利用枚数との総和からグループの節約枚数を算出する請求項１３に記載の環境貢献支援方法。
【発明の詳細な説明】
【技術分野】
【０００１】
本発明の実施形態は、印刷環境における環境貢献支援装置、および環境貢献支援方法に関する。
【背景技術】
【０００２】
近年、画像形成装置の印刷設定を両面印刷や集約印刷にすることで記録用紙の使用量を削減して印刷時の環境負荷の低減を図っている。また、画像形成装置には、ユーザの環境意識を向上するために環境レポートを出力するものも知られている。さらに、消色性の着色剤により画像が形成されたシートに、加熱処理を施してシート上の画像を消色し、当該シートを再利用させる再生装置が知られている。
しかしながら、これまでの環境レポートは、その発行時点における用紙の削減枚数の実績を集計したに過ぎず、利用者が長期に渡って環境負荷低減の動機付けを維持するのは難しい。加えて、利用者は環境の負荷を低減するために具体的にどのような操作を行えばよいかを適時にアドバイスするものではなかった。さらには、印刷枚数の削減と、用紙の再利用による環境負荷の低減とを総合的に提示する環境レポートはなかった。
【先行技術文献】
【特許文献】
【０００３】
【特許文献１】特開２００５−０８８５０６公報
【特許文献２】特開２０１０−１３４７６５公報
【発明の概要】
【発明が解決しようとする課題】
【０００４】
この発明が解決しようとする課題は、印刷環境負荷を総合的に評価可能なレポートを出力すると共に、利用者が環境負荷の低減の動機付けを長期に渡って維持することが可能な環境貢献支援装置、および環境貢献支援方法を提供することである。
【課題を解決するための手段】
【０００５】
実施形態によれば、印刷装置と、消去装置とを備えるシステムに提供され環境貢献支援装置は、両面削減算出部と、集約削減算出部と、用紙削減率算出部と、印刷状況キャラクタ選択部と、用紙再利用率算出部と、再利用状況キャラクタ選択部と、用紙削減メッセージ選択部と、用紙再利用メッセージ選択部と、アドバイス設定部と、レポート作成部とを備え、レポート作成部は、用紙削減率算出部で算出した用紙削減率に対応したキャラクタと、用紙再利用率算出部で算出した用紙再利用率に対応したキャラクタと、アドバイス設定部で設定されるメッセージと、を所定のフォームに編集する。
【図面の簡単な説明】
【０００６】
【図１】実施の形態に係る環境貢献支援装置の構成を示すブロック図である。
【図２】実施の形態に係る印刷ログデータを示すテーブルである。
【図３】実施の形態に係る消去ログデータを示すテーブルである。
【図４】実施の形態に係る用紙サイズに対するＡ４サイズ換算テーブルである。
【図５】第1の実施の形態に係る環境貢献支援装置の機能ブロック図である。
【図６】第1の実施の形態に係るエコレポートの表示例である。
【図７】第1の実施の形態に係る用紙の削減率を算出するフローチャートである。
【図８】実施の形態に係るエコレポートに表示されるキャラクタを示す図である。
【図９】実施の形態に係る印刷状況キャラクタを選択するフローチャートである。
【図１０】第1の実施の形態に係る用紙の再利用率を算出するフローチャートである。
【図１１】第1の実施の形態の用紙の再利用率算出に係り、印刷枚数が０の場合の再利用率を算出するフローチャートである。
【図１２】実施の形態に係る再利用状況キャラクタを選択するフローチャートである。
【図１３】第1の実施の形態に係る総合得点を算出するフローチャートである。
【図１４】実施の形態に係るエコレポートに表示されるランク状態を示す図である。
【図１５】実施の形態に係るアドバイス選定のフローチャートである。
【図１６】実施の形態に係る用紙の削減率に関するアドバイス選択のフローチャートである。
【図１７】実施の形態に係る用紙の再利用率に関するアドバイス選択のフローチャートである。
【図１８】第２の実施の形態に係る環境貢献支援システムの機能ブロック図である。
【図１９】第２の実施の形態に係るエコレポートの表示例である。
【図２０】第２の実施の形態に係る点数算出のフローチャートである。
【図２１】第２の実施の形態に係る節約状況キャラクタ選定のフローチャートである。
【発明を実施するための形態】
【０００７】
以下、本発明の実施の形態について図面を参照して説明する。
（第1の実施の形態）
【０００８】
図１は、本発明の実施形態の環境貢献支援装置を構成するサーバのブロック図である。サーバ１０は、ＣＰＵ（Central Processing Unit）１１と、ＲＡＭ（Random Access Memory）１２と、ＨＤＤ（Hard Disc Drive）１３と、ログデータベース１４と、入力Ｉ／Ｆ１５と、表示Ｉ／Ｆ１６と、ネットワークＩ／Ｆ１７とで構成される。ＣＰＵ１１はＲＡＭ１２と協働して、ＨＤＤ１３に記憶されたプログラムを実行して環境貢献支援に係る機能を実現する。ＨＤＤ１３は、さらに図４に示す、印刷用の各用紙サイズをＡ４サイズに換算する換算テーブルを記憶する。ログデータベース１４は、図２に示す印刷ログと図３に示す消去ログを保管する。ＣＰＵ１１は、ネットワークＩ／Ｆ１７を介して図示しないＭＦＰ（Multi-Function Peripheral）から定期的に印刷状況に関するデータを収集し、印刷ログとしてログデータベース１４に蓄積する。ＣＰＵ１１はさらに、ネットワークＩ／Ｆ１７を介して図示しない消去装置から定期的に消去状況に関するデータを収集し、消去ログとしてログデータベース１４に蓄積する。
ここで、消去装置は、消色性の着色剤により画像を形成された用紙に、消去部で加熱処理を施して用紙の画像を消色し、用紙を再利用させる再生装置である。消去装置に投入された消去対象用紙は、消去が行われた後、再利用可能な用紙と、再利用不可である廃棄用用紙とに分類される。入力Ｉ／Ｆ１５は、図示しないキーボードやマウス等の入力装置とのインターフェースで、各種データやコマンドを入力する。表示Ｉ／Ｆ１６は、図示しないディスプレイとのインターフェースで、後述するエコレポート等の表示データを出力する。ネットワークＩ／Ｆ１７は、サーバ１０を図示しない有線、若しくは無線ＬＡＮに接続するインターフェースである。
【０００９】
図２は、本発明の実施の形態に係る印刷ログデータを示すテーブルである。印刷ログは、ネットワークを介して接続された複数のＭＦＰから定期的に収集されるジョブデータを集計したものである。印刷ログとして収集する項目は、ＭＦＰの機体を示す「シリアル番号」、ＭＦＰのユーザを識別する「ユーザID」、ジョブ実行時間としての「開始日時」と「終了日時」、実行したＪＯＢの種類として、コピー、プリント、スキャンを示す「機能」、印刷色としての「カラー」、印刷に使用した用紙の「サイズ」、印刷設定として片面か両面かを表す「両面設定」、1枚の用紙に何枚の用紙を集約したかを表す「集約設定」、原稿の表面、裏面を計数する「入力面数」、用紙の枚数を示す「印刷枚数」、印刷用紙の表面、裏面を計数する「印刷面数」があり、それぞれのデータをジョブ毎に取得してテーブル形式で保管する。
例えば、Ｎｏ．２の印刷ログは、機体番号「ＡＡＡ１２３４」のＭＦＰで、「３２１５８」のユーザが、「２０１１／４／１の９時１０分」から「２０１１／４／１の９時１２分」の間、「コピー」を実行したことを表している。コピーのジョブ内容としては、原稿面数「３枚」の原稿を、「ブラック」、「Ａ４」、「片面」、集約枚数「１ｉｎ１」に設定し、コピー出力として印刷枚数が「３枚」で、面数が「３枚」であったことを示している。
【００１０】
図３は、本実施の形態に係る消去ログデータを示すテーブルである。消去ログは、複数の消去装置から定期的に収集される消去に関するデータを集計したものである。消去ログは、消去装置の機体を示す「シリアル番号」、ユーザを識別する「ユーザＩＤ」、消去処理実行時間としての「開始日時」と「終了日時」、実行した消去処理として、用紙の「サイズ」、消去装置にセットした用紙枚数としての「投入枚数」、消去処理の結果、消去が成功した用紙枚数を示す「リユース枚数」、消去に失敗し廃棄処理される用紙に対して、その原因毎に「消し残り枚数」、「折れ／破れ枚数」、「残留物枚数」、「その他枚数」のそれぞれに対するリジェクト枚数を取得する。
例えば、Ｎｏ．４の消去ログは、機体番号「ＸＸＸ１００１」の消去装置で、ユーザ「５６９５４」が、「２０１１／４／２５の１３時１分」から「２０１１／４／２５の１３時８分」の間、「Ａ４」、６２枚の用紙を消去装置にセットして消去処理を実行したことを表している。消去処理を実行した結果、「５７枚」が消去に成功し、「３枚」が消し残しによりリジェクトされ、「２枚」が折れ／破れによりリジェクトされたことを示している。
【００１１】
図４は、本実施の形態に係る用紙サイズに対するＡ４サイズ換算テーブルである。Ａ４サイズの用紙を「１」とした場合のそれぞれの用紙サイズに対する換算値をテーブルにしたもので、Ａ３の場合は、「２」となり、Ａ５では「０．５」となる。さらに、このテーブルには、ＬＥＤＧＥＲサイズ、ＬＥＴＴＥＲサイズ、ＬＥＧＡＬサイズに対する換算値を備え、換算値はそれぞれ「１．９」、「１」、「１．２」となる。
【００１２】
図５は、第1の実施の形態に係る環境貢献支援装置の機能ブロック図である。本実施の形態においては、ログデータベース１４に保管された印刷ログ、消去ログに基づき、後述する用紙の削減率や、用紙の再利用率を算出し、エコレポートを作成している。
ログイン処理部２１は、入力Ｉ／Ｆ１５を介して図示しないキーボードから、またはネットワークＩ／Ｆ１７を介して図示しないＭＦＰや消去装置から入力されるユーザＩＤに対して認証を行い、認証が成功すると当該ユーザＩＤを有効な識別情報としてＲＡＭ１２に保管する。ユーザデータ集計部２２は、ユーザの実行したジョブを集計するもので、ＲＡＭ１２に保管されたユーザＩＤをキーとして、印刷ログから当該ユーザＩＤに一致するログデータを収集し、ＲＡＭ１２に保管する。同時に、消去ログからは該当するユーザＩＤに一致するログデータを収集し、ＲＡＭ１２に保管する。収集するログデータは、予め指定された期間、例えば、１日、１週間、１カ月の間に実行したデータを対象とする。
用紙削減率算出部２３は、両面削減算出部２４と、集約削減算出部２５とで構成される。両面削減算出部２４は、両面印刷設定によって削減された用紙枚数の割合を算出する。集約削減算出部２５は、集約印刷設定（Ｎｉｎ１）によって削減された用紙枚数の割合を算出する。用紙削減率算出部２３は、さらに、両面削減算出部２４と、集約削減算出部２５とにより求められたそれぞれの用紙の削減枚数から全体の用紙削減率を算出し、ＣＯ２に換算した排出削減量を算出する。
印刷状況キャラクタ選択部２６は、用紙削減率算出部２３で求めた用紙削減率に応じて後述する３段階からなる印刷状況のキャラクタの一つを選択する。
用紙再利用率算出部２７は、用紙の再利用率を算出すると共に、用紙の再利用枚数からＣＯ２に換算した排出削減量を算出する。
再利用状況キャラクタ選択部２８は、用紙再利用率算出部２７で求めた用紙再利用率に応じて後述する３段階からなる再利用率状況のキャラクタの一つを選択する。
ＣＯ２排出削減量算出部２９は、用紙の削減枚数から求めたＣＯ２排出削減量と、用紙再利用枚数から求めた印刷枚数削減枚数ＣＯ２排出削減量とから、全体のＣＯ２排出削減量を算出する。
総合得点算出部３０は、両面削減算出部２４で求めた両面印刷による削減枚数と、集約削減算出部２５で求めた集約印刷による削減枚数と、用紙再利用率算出部２７で求めた再利用枚数とに基づいて総合得点を算出する。順位・ランク決定部３１は、総合得点算出部３０で求めた総合得点から順位を求め、前回の順位に対して今回の順位が上がったか、同じか、下がったかを後述するキャラクタで表示する。
アドバイス選定部３２は、用紙削減メッセージ選択部３３と、用紙再利用メッセージ選択部３４とで構成され、用紙削減メッセージ選択部３３は、用紙削減に関する複数のメッセージから一つを選択し、用紙再利用メッセージ選択部３４は、用紙再利用に関する複数のメッセージから一つを選択する。
エコレポート作成部３５は、ログインユーザに対する印刷状況、再利用状況に関するデータ、キャラクタを一つのレポートとして配置し、後述するエコレポートを作成する。
【００１３】
図６は、第1の実施の形態に係るエコレポートの表示例である。エコレポート４０は、システムにログインするユーザに対して出力されるレポートで、当該サーバ１０のネットワークＩ／Ｆ１７を介して接続される図示しないＭＦＰや、消去装置にユーザがログインした際に、これら装置の表示画面に表示される。エコレポート４０は、ネットワークＩ／Ｆ１７を介して接続される図示しないクライアントＰＣからユーザの要求に応じて当該ＰＣに表示してもよい。エコレポート４０は、画像ファイルの形式で電子メールの添付ファイルとしてユーザに送信してもよい。さらに、ユーザの印刷指示に応じて所定の印刷装置で記録媒体に印刷するようにしてもよい。
エコレポート４０は、所定の期間、本実施の形態では1カ月間における印刷状況、ここでは今月の印刷状況を表示する印刷状況エリア４１と、同1カ月間における用紙の再利用状況、ここでは今月の再利用状況を表示する再利用状況エリア４２と、印刷状況と再利用状況の両者を基に、同1カ月間におけるＣＯ２排出量、ここでは今月のＣＯ２排出量を表示するＣＯ２排出量表示エリア４３と、ランク表示エリア４４と、印刷状況と再利用状況とから現在のエコ状況について総合的なアドバイスを提供するアドバイス表示エリア４５と、を備える。印刷状況エリア４１には、印刷状況に応じたキャラクタ５０が表示される。再利用状況エリア４２には、再利用状況に応じたキャラクタ５５が表示される。キャラクタ５０、５５については、後ほど詳細に説明する。ランク表示エリア４４には、前回の順位に対して今回の順位が上がったか、同じであるか、下がったかを示すランク状況キャラクタ６０を表示する。キャラクタ６０については、後ほど詳細に説明する。
印刷状況エリア４１は、用紙全体の削減率と、両面による削減率と、Ｎｉｎ１（集約とも表現する）による削減率とを、それぞれ数値とグラフで表示する。印刷状況エリア４１は、さらに、削減した印刷枚数と、削減した印刷枚数に換算したＣＯ２排出削減量とを表示する。再利用状況エリア４２は、再利用した用紙の削減率を数値とグラフで表示する。再利用状況エリア４２は、さらに、再利用した用紙枚数と、再利用した用紙枚数に換算したＣＯ２排出削減量とを表示する。
【００１４】
図７は、第1の実施の形態に係る用紙の削減率を算出するフローチャートである。
用紙削減率算出部２３は、ログインユーザ毎に集計された印刷ログのサイズ情報から用紙サイズを取得し、図４に示すＡ４換算テーブルから当該用紙サイズに対応するＡ４換算係数（Ａｓｉｚｅ）を取得する。1ジョブの印刷枚数を（ｘ１）とした場合、印刷枚数の総和（ｙ１）は、１ジョブの印刷枚数（x1）にＡ４換算係数（Ａｓｉｚｅ）をかけた値の和となる（式１参照）（Ａｃｔ１０１）。
ｙ１ ＝ ■(Ａｓｉｚｅ × ｘ１ )    （式１）
両面削減算出部２４は、両面印刷による削減率を求める。両面印刷による削減率は、両面印刷設定によって削減された用紙枚数の割合を示している。両面削減算出部２４は、先ず、Ａ４換算した用紙面数を算出する。印刷枚数の計算と同様に、印刷ログのサイズ情報から用紙サイズを取得し、図４に示すＡ４換算テーブルから当該用紙サイズに対応するＡ４換算係数（Ａｓｉｚｅ）を取得する。1ジョブの印刷面数を（ｘ２）とした場合、印刷面数の総和（ｙ２）は、１ジョブの印刷面数（ｘ２）にＡ４換算係数（Ａｓｉｚｅ）をかけた値の和となる（式２参照）（Ａｃｔ１０２）。
ｙ２ ＝ ■(Ａｓｉｚｅ × ｘ２ )    （式２）
両面印刷による削減枚数（ｚｄｕｐｌｅｘ）は、1ジョブの印刷面数（ｘ２）から1ジョブの印刷枚数（ｘ１）を引いた値にＡ４換算係数（Ａｓｉｚｅ）をかけた値の和になる（式３参照）
ｚｄｕｐｌｅｘ = ■(Ａｓｉｚｅ × ( ｘ２ −ｘ１ ) )    （式３）
両面による削減率（ｒｄｕｐｌｅｘ）は、この両面による削減枚数（ｚｄｕｐｌｅｘ）を印刷面数（ｙ２）で割った値になる（式４参照）（Ａｃｔ１０３）。
ｒｄｕｐｌｅｘ ＝ ｚｄｕｐｌｅｘ ÷ ｙ２    （式４）
【００１５】
集約削減算出部２５は、集約（Ｎｉｎ１）印刷による削減率を求める。集約による削減率は、集約設定によって削減された用紙枚数の割合を示している。集約削減算出部２５は、先ず、Ａ４換算した原稿数を算出する。本実施の形態では集約設定をもとに原稿数を算出するが、原稿数が直接的に得られている場合は、その積算値を用いても良い。印刷ログ情報の集約設定から集約する値（ａＮｉｎ１）を取得する。集約する値（ａＮｉｎ１）は、例えば、集約をしない１ｉｎ１場合は「１」となり、２面を１面に集約する２ｉｎ１の場合は「２」となる。また、原稿数（ｙ３）は、集約値（ａＮｉｎ１）とＡ４換算係数（Ａｓｉｚｅ）との積に、1ジョブの印刷枚数（ｘ１）をかけた値の総和となる（式５参照）（Ａｃｔ１０４）。
ｙ３ ＝ ■(Ａｓｉｚｅ ×ａＮｉｎ１ × ｘ１ )    （式５）
集約による削減枚数（ｚＮｉｎ１）は、1ジョブの印刷面数から1ジョブの印刷面数を集約値で割った値を引いた値の和となる（式６参照）。
ｚＮｉｎ１ ＝ ■( Ａｓｉｚｅ × （ｘ2 −ｘ2／ａＮｉｎ１ −１）)    （式６）
また、この集約（Ｎｉｎ１）による削減率（ｒＮｉｎ１）は集約による削減枚数（ｚＮｉｎ１）を原稿数（ｙ３）で割った値となる（式７参照）（Ａｃｔ１０５）。
ｒＮｉｎ１ ＝ｚＮｉｎ１ ÷ ｙ３    （式７）
【００１６】
用紙削減率算出部２３は、次に、用紙の削減率を求める。用紙の削減率は、両面印刷設定と集約印刷設定によって削減された用紙枚数の割合を示している。すなわち、用紙の削減率（ｒｐｒｉｎｔ）は、両面による削減枚数（ｚｄｕｐｌｅｘ）と集約による削減枚数（ｚＮｉｎ１）を足した値を印刷面数（ｙ２）で割った値として求めることが出来る（式８参照）（Ａｃｔ１０６）。
ｒｐｒｉｎｔ ＝ (ｚｄｕｐｌｅｘ +ｚＮｉｎ１) ÷ ｙ２    （式８）
両面削減算出部２４は、ＣＯ２排出削減量を求める。ＣＯ２排出削減量は、削減した用紙によって節約できたＣＯ２の値を換算して求める。用紙1枚あたりのＣＯ２排出量をＡＣＯ２とすると、ＣＯ２排出削減量（Ｃｐｒｉｎｔ）は、両面による削減枚数（ｚｄｕｐｌｅｘ）と集約による削減枚数（ｚＮｉｎ１）とを足した値にＡＣＯ２をかけた値がＣｐｒｉｎｔとなる（式９参照）（Ａｃｔ１０７）。
Ｃｐｒｉｎｔ ＝ (ｚｄｕｐｌｅｘ +ｚＮｉｎ１) × ＡＣＯ２        （式９）
なお、用紙1枚あたりのＣＯ２排出量（ＡＣＯ２）は、例えば６ｇといった値が知られている。
【００１７】
図８は、本発明の実施の形態に係るエコレポートに表示されるキャラクタを示す図である。エコレポート４０の印刷状況エリア４１のキャラクタ部分５０は顔の形状をなし、用紙の削減率によって３段階に変化する。エコレポート４０の再利用状況エリア４２のキャラクタ部分５５は顔の形状をなし、用紙の再利用率によって3段階に変化する。キャラクタは後述する、削減率、若しくは、再利用率の程度により、高いレベル３（５１）、中位のレベル２（５２）、低いレベル１（５３）の何れか一つが選択される。キャラクタは、削減率、若しくは、再利用率のレベルに応じて顔の表情を変化させる。レベル３（５１）では、笑顔を表示し、レベル２（５２）では、普通の顔を表現し、レベル１（５３）では、悲しい顔を表示する。ＭＦＰのユーザは、このキャラクタの顔の表情により自身の印刷用紙の削減レベルや、再利用レベルの状態を視覚で認識することが出来る。
【００１８】
図９は、本実施の形態に係る印刷状況キャラクタを選択するフローチャートである。
印刷状況キャラクタ選択部２６は、予め決められた２段階の閾値ｂ１ｐｒｉｎｔとｂ２ｐｒｉｎｔ（ｂ１ｐｒｉｎｔ＞ｂ２ｐｒｉｎｔ）を基に、用紙の削減率（ｒｐｒｉｎｔ）が閾値よりも大きいか否かを比較してキャラクタを決定する。この閾値は、ユーザ毎に設定できるようにしても良いし、全体の平均値に係数をかけることで決定してもよい。
印刷状況キャラクタ選択部２６は、先ず、用紙の削減率（ｒｐｒｉｎｔ）が閾値1（ｂ１ｐｒｉｎｔ）よりも大きいか否かを判定し（Ａｃｔ１１０）、用紙の削減率（ｒｐｒｉｎｔ）が閾値1（ｂ１ｐｒｉｎｔ）よりも大きい場合、図８のレベル３のキャラクタを選択する（Ａｃｔ１１１）。以下の場合（Ａｃｔ１１１でＮｏ）、用紙の削減率（ｒｐｒｉｎｔ）が閾値２（ｂ２ｐｒｉｎｔ）よりも大きいか否かを判定し（Ａｃｔ１１２）、用紙の削減率（ｒｐｒｉｎｔ）が閾値２（ｂ２ｐｒｉｎｔ）よりも大きい場合、図８のレベル２のキャラクタを選択する（Ａｃｔ１１３）。一方、以下の場合（Ａｃｔ１１２でＮｏ）には、図８のレベル1のキャラクタを選択する（Ａｃｔ１１４）。
【００１９】
図１０は、本発明の第1の実施の形態に係る消去装置による用紙の再利用率を算出するフローチャートである。
消去ログのリユース枚数の欄は、消去装置で印刷面の消去に成功した用紙枚数をＡ４換算して示している。用紙再利用率算出部２７は、消去ログのサイズ情報から用紙サイズを取得し、図４に示すＡ４換算テーブルから当該用紙サイズに対応するＡ４換算係数（Ａｓｉｚｅ）を取得する。1ジョブの再利用枚数（ｘ４）とした場合、再利用枚数の総和（ｚｒｅｕｓｅ）は、1ジョブの再利用枚数（ｘ４）にＡ４換算係数（Ａｓｉｚｅ）をかけた値の和となる（式１０参照）（Ａｃｔ１２０）。
ｚｒｅｕｓｅ ＝ ■(Ａｓｉｚｅ × ｘ４ )       （式１０）
用紙再利用率算出部２７は、用紙の再利用率を算出する。用紙の再利用率は、印刷した枚数に対して再利用できた用紙の割合を示している。再利用率（ｒｒｅｕｓｅ）は、再利用枚数（ｚｒｅｕｓｅ）を印刷枚数（ｙ１）で割った値となる（式１１参照）（Ａｃｔ１２１）。
ｒｒｅｕｓｅ ＝ｚｒｅｕｓｅ ÷ ｙ１      （式１１）
次に、印刷枚数（ｙ１）が０か否かを判定し（Ａｃｔ１２２）、印刷枚数が０の場合、印刷枚数が０の時の再利用率を算出する（Ａｃｔ１２３）。ここで、印刷枚数（ｙ１）が０だった場合（Ａｃｔ１２２でＹｅｓ）の再利用率（ｒｒｅｕｓｅ）を算出するフローチャートを図１１に示す。
用紙再利用率算出部２７は、再利用枚数（ｚｒｅｕｓｅ）が０よりも大きいか否かを判定し（Ａｃｔ１３０）、再利用枚数（ｚｒｅｕｓｅ）が０より大きい場合は再利用率（ｒｒｅｕｓｅ）を９９９％とする（Ａｃｔ１３１）。なお、９９９％は一例であり、これに限らず、他の表示をさせても良い。一方、再利用枚数（ｚｒｅｕｓｅ）が０の場合、再利用率（ｒｒｅｕｓｅ）は０％とする（Ａｃｔ１３２）。
一方、印刷枚数が０でない場合（Ａｃｔ１２２でＮｏ）、用紙再利用率算出部２７は、ＣＯ２排出削減量を算出する（Ａｃｔ１２４）。ＣＯ２排出削減量は、再利用可能な用紙によって節約できたＣＯ２を示している。用紙1枚あたりのＣＯ２排出量を（ＡＣＯ２）とすると、ＣＯ２排出削減量（ｃｒｅｕｓｅ）は、再利用枚数（ｚｒｅｕｓｅ）に（ＡＣＯ２）をかけた値となる（式１２参照）。
ｃｒｅｕｓｅ ＝ｚｒｅｕｓｅ × ＡＣＯ２       （式１２）
【００２０】
図１２は、本実施の形態に係る再利用状況キャラクタを選択するフローチャートである。
再利用状況キャラクタ選択部２８は、予め決められた２段階の閾値ｂ１ｒｅｕｓｅとｂ２ｒｅｕｓｅ（ｂ１ｒｅｕｓｅ＞ｂ２ｒｅｕｓｅ）を基に、用紙の再利用率（ｒｒｅｕｓｅ）が閾値よりも大きいか否かを比較してキャラクタを決定する。この閾値は、ユーザ毎に設定できるようにしても良いし、全体の平均値に係数をかけることで決定してもよい。
再利用状況キャラクタ選択部２８は、先ず、用紙の再利用率（ｒｒｅｕｓｅ）が閾値1（ｂ１ｒｅｕｓｅ）よりも大きいか否かを判定し（Ａｃｔ１４０）、用紙の再利用率（ｒｒｅｕｓｅ）が閾値1（ｂ１ｒｅｕｓｅ）より大きい場合、図８のレベル3のキャラクタを選択する（Ａｃｔ１４１）。以下の場合（Ａｃｔ１４０でＮｏ）は、用紙の再利用削減率（ｒｒｅｕｓｅ）が閾値２（ｂ２ｒｅｕｓｅ）よりも大きいか否かを判定し（Ａｃｔ１４２）、用紙の再利用削減率（ｒｒｅｕｓｅ）が閾値２（ｂ２ｒｅｕｓｅ）よりも大きい場合、図８のレベル２のキャラクタを選択する（Ａｃｔ１４３）。一方、以下の場合（Ａｃｔ１４２でＮｏ）には、図８のレベル１のキャラクタを選択する（Ａｃｔ１４４）。
【００２１】
次に、図６のエコレポート中央付近に表示される今月のＣＯ２排出削減量４３の算出方法について説明する。
ＣＯ２排出削減量算出部３０は、全体のＣＯ２排出削減量を算出する。ＣＯ２排出削減量（ｃ）は、印刷によるＣＯ２排出削減量（ｃｐｒｉｎｔ）と再利用によるＣＯ２排出削減量（ｃｒｅｕｓｅ）との和となる（式１３参照）。
ｃ ＝ｃｐｒｉｎｔ + ｃｒｅｕｓｅ      （式１３）
次に、図６のエコレポート下方の順位エリア４４に表示される順位ついて説明する。順位・ランク決定部３１は、総合得点（ｓｔｏｔａｌ）を基に順位を決定する。総合得点（ｓｔｏｔａｌ）は、両面による削減枚数（ｚｄｕｐｌｅｘ）と集約による削減枚数（ｚＮｉｎ１）と再利用枚数（ｚｒｅｕｓｅ）を足した値を原稿数（ｙ３）で割った値から求めることができる（式１４参照）。
ｓｔｏｔａｌ ＝ (ｚｄｕｐｌｅｘ +ｚＮｉｎ１ +ｚｒｅｕｓｅ) ÷ ｙ３      （式１４）
順位・ランク決定部３１は、この総合得点の高いものから順に順位を決定する。
ここで、印刷枚数（ｙ１）が０だった場合の総合得点（ｓｔｏｔａｌ）を算出するフローチャートを図１３に示す。再利用枚数（ｚｒｅｕｓｅ）が０よりも大きいか否かを判定し（Ａｃｔ１５０）、再利用枚数（ｚｒｅｕｓｅ）が０よりも大きい場合は総合得点（ｓｔｏｔａｌ）に再利用枚数（ｚｒｅｕｓｅ）を代入する（Ａｃｔ１５１）。また、再利用枚数（ｚｒｅｕｓｅ）が０の場合、総合得点（ｓｔｏｔａｌ）は「−１」とし、順位はランク外とする（Ａｃｔ１５２）。
【００２２】
図１４は、エコレポートに表示されるランク状態を示す図である。ランク状態は、「ランクアップ」、「ランク変わらず」、「ランクダウン」の３段階で表示する。順位・ランク決定部３１で求めた順位が、前回の順位に対して上がった場合は、「ランクアップ」を表示し、順位が同じであった場合は、「ランク変わらず」を表示し、順位が下がった場合は、「ランクダウン」を表示する。また、ランク状態を表示するためには、前回の順位を記憶しておく必要があり、ユーザがシステムにログインするたびに順位を計算し、図示しないデータテーブルに順位の書込みを行う。なお、一定の周期で定期的に順位をテーブルに保存しても良い。
【００２３】
次に、図６のエコレポート下方に表示されるアドバイス欄に表示するアドバイスの選定方法について説明する。
図１５から図１７はアドバイス選定のためのフローチャートである。アドバイス選定の判定に使用する閾値には、用紙の削減率の閾値（ｂｐｒｉｎｔ）、両面による削減率の閾値（ｂｄｕｐｌｅｘ）、集約による削減率の閾値（ｂＮｉｎ１）、印刷枚数の閾値（ｂｐａｐｅｒ）、用紙の再利用率の閾値（ｂｒｅｕｓｅ）、消去装置への投入枚数の閾値（ｂｉｎ）、用紙の消去成功率の閾値（ｂＯＫ）がある。これらの閾値は、予め決めてあるものを使用しても良いし、ユーザ毎に値を設定できるようにしても良い。さらに、全体の平均値に係数をかけることで決定してもよい。
【００２４】
図１５は、本発明の実施の形態に係るアドバイス選定のフローチャートである。先ず、「用紙の削減率（ｒｐｒｉｎｔ）が閾値（ｂｐｒｉｎｔ）よりも大きく、かつ、用紙の再利用率（ｒｒｅｕｓｅ）が閾値（ｂｒｅｕｓｅ）よりも大きい」か否かを判定し（Ａｃｔ１６０）、用紙の削減率、再利用率の両者が閾値より大きい場合は、用紙の削減に関するメッセージｍｅｓｓａｇａ１に「環境に優しい使い方ができています。」を代入し、用紙の再利用に関するメッセージｍｅｓｓａｇａ２に「これからもその調子で使用しましょう。」のアドバイスを代入する。また、用紙削減フラグｌｅｖ１と用紙再利用フラグｌｅｖ２とに「１」をセットする（Ａｃｔ１６１）。両者が共に閾値より大きくなかった場合、用紙の削減率、再利用率の少なくとも一方が閾値より小さい場合は、用紙の削減率（ｒｐｒｉｎｔ）に関するアドバイスを選択し（Ａｃｔ１６２）、続けて用紙の再利用率（ｒｒｅｕｓｅ）に関するアドバイスを選択する（Ａｃｔ１６３）。次に、ｌｅｖ２がｌｅｖ１よりも大きいか否かを判定し（Ａｃｔ１６４）、大きい場合（Ａｃｔ１６４でＹｅｓ）、図６のアドバイス表示部分の上部にｍｅｓｓａｇａ２を出してから、ｍｅｓｓａｇａ１を表示する（Ａｃｔ１６５）。一方、ｌｅｖ１がｌｅｖ２より大きい場合、図６のアドバイス表示部分の上部にｍｅｓｓａｇａ１を出してから、ｍｅｓｓａｇａ２を表示する（Ａｃｔ１６６）。ここで、用紙削減フラグｌｅｖ１と用紙再利用フラグｌｅｖ２は、メッセージの内容が良いものから順に、「１」、「０」、「−１」がセットされる。これは褒めるアドバイスを上部に出すためである。
【００２５】
図１６は、本発明の実施の形態に係る用紙の削減率に関するアドバイス選択のフローチャートである。先ず、用紙の削減率（ｒｐｒｉｎｔ）が閾値（ｂｐｒｉｎｔ）よりも大きいか否かを判定する（Ａｃｔ１７０）。用紙の削減率（ｒｐｒｉｎｔ）が閾値（ｂｐｒｉｎｔ）よりも大きい場合、ｍｅｓｓａｇｅ１に「印刷用紙の削減を頑張りましたね。」の、アドバイスを代入し、フラグｌｅｖ１に「１」をセットする（Ａｃｔ１７１）。用紙の削減率（ｒｐｒｉｎｔ）が閾値（ｂｐｒｉｎｔ）より小さい場合（Ａｃｔ１７０でＮｏ）、印刷枚数（ｙ１）が閾値（ｂｐａｐｅｒ）よりも小さいか否かを判定する（Ａｃｔ１７２）。印刷枚数（ｙ１）が閾値（ｂｐａｐｅｒ）よりも小さい場合、ｍｅｓｓａｇｅ１に「印刷する時には環境に優しい印刷方法を心がけましょう。」を、代入し、フラグｌｅｖ１に「０」をセットする（Ａｃｔ１７３）。印刷枚数（ｙ１）が閾値（ｂｐａｐｅｒ）より大きい場合（Ａｃｔ１７２でＮｏ）、両面による削減率（ｒｄｕｐｌｅｘ）と集約による削減枚数（ｒＮｉｎ１）の両方がそれぞれ閾値（ｂｄｕｐｌｅｘ）、閾値（ｂＮｉｎ１）よりも小さいか否かを判定し（Ａｃｔ１７４）、両方とも閾値より小さい場合はｍｅｓｓａｇｅ１に「もっと両面機能やＮｉｎ１機能を活用して印刷しましょう。」を、代入し、フラグｌｅｖ１に「−１」をセットする（Ａｃｔ１７５）。両面による削減率（ｒｄｕｐｌｅｘ）と集約による削減率（ｒＮｉｎ１）の何れか一方でも閾値より大きい場合（Ａｃｔ１７４でＮｏ）、両面による削減率（ｒｄｕｐｌｅｘ）が閾値（ｂｄｕｐｌｅｘ）よりも小さいか否かを判定し（Ａｃｔ１７６）、両面による削減率（ｒｄｕｐｌｅｘ）が閾値（ｂｄｕｐｌｅｘ）よりも小さい場合はｍｅｓｓａｇｅ１に「もっと両面機能を活用して印刷しましょう。」を、代入し、フラグｌｅｖ１に「−１」をセットする（Ａｃｔ１７７）。両面による削減率（ｒｄｕｐｌｅｘ）が閾値（ｂｄｕｐｌｅｘ）よりも大きい場合（Ａｃｔ１７６でＮｏ）、集約による削減率（ｒＮｉｎ１）が閾値（ｂＮｉｎ１）よりも小さいか否かを判定し（Ａｃｔ１７８）、集約による削減率（ｒＮｉｎ１）が閾値（ｂＮｉｎ１）よりも小さい場合ｍｅｓｓａｇｅ１に「もっと集約機能を活用して印刷しましょう。」を代入し、フラグｌｅｖ１に「−１」をセットする（Ａｃｔ１７９）。集約による削
減率（ｒＮｉｎ１）が閾値（ｂＮｉｎ１）より大きい場合（Ａｃｔ１７８でＮｏ）、ｍｅｓｓａｇｅ１に「印刷する時には環境に優しい印刷方法を心がけましょう。」を代入し、フラグｌｅｖ１に「−１」をセットする（Ａｃｔ１８０）。
【００２６】
ここで、消去装置への投入枚数（ｙ４）について説明する。ログデータベース１４に蓄積された消去ログの用紙サイズ情報から用紙サイズを取得し、図４に示すＡ４換算テーブルにより対象の用紙サイズに対応するＡ４換算係数（Ａｓｉｚｅ）を取得する。消去装置への投入枚数（ｙ４）は、1ジョブの再利用枚数（ｘ４）と1ジョブの廃棄用紙枚数（ｘ５）を足した値にＡ４換算係数（Ａｓｉｚｅ）をかけた値の総和となる（式１５参照）。
ｙ４ ＝ ■(( ｘ４ + ｘ５ ) × Ａｓｉｚｅ )       （式１５）
また、紙の消去成功率（ｒＯＫ）は、再利用枚数（ｚｒｅｕｓｅ）を消去装置へ投入した投入枚数（ｙ４）で割った値となる（式１６参照）。
ｒＯＫ ＝ｚｒｅｕｓｅ ÷ ｙ４      （式１６）
【００２７】
図１７は、本発明の実施の形態に係る用紙の再利用率に関するアドバイス選択のフローチャートである。先ず、紙の再利用率（ｒｒｅｕｓｅ）が閾値（ｂｒｅｕｓｅ）よりも大きいか否かを判定し（Ａｃｔ１９０）、紙の再利用率（ｒｒｅｕｓｅ）が閾値（ｂｒｅｕｓｅ）よりも大きい場合（Ａｃｔ１９０でＹｅｓ）、ｍｅｓｓａｇｅ２に「用紙の再利用を頑張りましたね。」を代入し、フラグｌｅｖ２に「１」をセットする（Ａｃｔ１９１）。紙の再利用率（ｒｒｅｕｓｅ）が閾値（ｂｒｅｕｓｅ）より小さい場合（Ａｃｔ１９０でＮｏ）、消去装置への投入枚数（ｙ４）が閾値（ｂｉｎ）よりも小さいか、または紙の消去成功率（ｒＯＫ）が閾値（ｂＯＫ）よりも大きいかを判定し（Ａｃｔ１９２）、Ａｃｔ１９２で判定がＹｅｓの場合、ｍｅｓｓａｇｅ２に「使い終わった用紙は消去装置に入れて再利用しましょう。」を代入し、フラグｌｅｖ２に「−１」をセットする（Ａｃｔ１９３）。消去装置への投入枚数（ｙ４）が閾値（ｂｉｎ）よりも大きく、紙の消去成功率（ｒＯＫ）が閾値（ｂＯＫ）よりも小さい場合（Ａｃｔ１９２でＮｏ）は、廃棄要因の中で消し残りの割合が一番高いか否かを判定し（Ａｃｔ１９４）、消し残りの割合が一番高い場合（Ａｃｔ１９４でＹｅｓ）は、ｍｅｓｓａｇｅ２に「なるべく消去可能な印刷やペンを利用しましょう。」を代入し、フラグｌｅｖ２に「−１」をセットする（Ａｃｔ１９５）。消し残りの割合が一番でない場合（Ａｃｔ１９４でＮｏ）は、廃棄要因の中で折れ/破れの割合が一番高いか否かを判定し（Ａｃｔ１９６）、折れ/破れの割合が一番高い場合はｍｅｓｓａｇｅ２に「用紙が折れたり破れたりしないように大切に使用しましょう。」を代入し、フラグｌｅｖ２に「−１」をセットする（Ａｃｔ１９７）。折れ/破れの割合が一番でない場合（Ａｃｔ１９６でＮｏ）は、廃棄要因の中で残留物の割合が一番高いか否かを判定し（Ａｃｔ１９８）、残留物の割合が一番高い場合はｍｅｓｓａｇｅ２に「ホッチキス等をしたまま消去装置に用紙を入れないでください。」を代入し、フラグｌｅｖ２に「−１」をセットする（Ａｃｔ１９９）。残留物の割合が一番でない場合（Ａｃｔ１９８でＮｏ）には、ｍｅｓｓａｇｅ２に「用紙を再利用できるように使用しましょう。」を代入し、ｌｅｖ２にフラグ「−１」をセットする（Ａｃｔ２００）。これらの処理
により、各アドバイスを決定し、図６のアドバイス表示欄に出力することができる。
【００２８】
以上により、エコレポート作成部３５は、図６に示すように、ユーザの印刷状況と再利用状況とを組み合わせた形で同時に表示することができる。両面による削減枚数、集約による削減枚数、再利用枚数とから順位やアドバイス、ＣＯ２排出量を求め、印刷状況と再利用状況の解析結果を合わせて、総合的に判定結果を示すことができる。これにより、業務内容等でどちらか一方しか努力できない人でも、結果に反映することができる。また、アドバイス表示部分では褒めるアドバイスの方を上部に表示することで、ユーザのエコに取り組む気持ちを上昇させ、よりエコな使用方法を促すことができると共に、ユーザに対し、長期に渡って環境負荷低減の動機付けを維持させることが出来る。
【００２９】
（第２の実施の形態）
第２の実施の形態は、第１の実施の形態の変形例で、第１の実施の形態と同様の機能を有す部分については同一の番号を付し、説明は省略する。
【００３０】
図１８は、本発明の第２の実施の形態に係る印刷環境負荷低減支援システムの機能ブロック図である。第２の実施の形態におけるエコレポートは、ユーザの使用状況に加えて所属するグループの使用状況を提示している。グループは、所属部門、事業所、会社等でも良い。
ログイン処理部２１、ユーザデータ集計部２２、用紙削減率算出部２３、両面削減算出部２４、集約削減算出部２５、用紙再利用率算出部２７は、第１の実施の形態と同じため、説明を省略する。点数算出部７１は、節約枚数を１００点を上限とし、エコの度合（環境負荷の低減状況）として点数化するものである。
キャラクタ選択部７２は、点数算出部７１で求めた点数から、後述する３段階からなる節約状況を示すキャラクタの一つを選択する。順位・ランク決定部７３は、点数算出部７１で求めた総合得点から順位を求め、前回の順位に対して今回の順位が上がったか、同じか、下がったかを後述するキャラクタで表示する。グループ削減算出部７４は、グループを構成するユーザ全体の節約枚数を算出する。
アドバイス選定部３２は、用紙削減メッセージ選択部３３と、用紙再利用メッセージ選択部３４とで構成され、用紙削減アドバイス選択部３３は、用紙削減に関するアドバイスを選択し、用紙再利用アドバイス選択部３４は、用紙再利用に関するアドバイスを選択する。
エコレポート作成部３５は、ログインユーザ、並びに当該ユーザの所属するグループに対する削減データ、キャラクタを一つのレポートとして配置し、後述するエコレポートを作成する。
【００３１】
図１９は、本発明の第２の実施の形態に係るエコレポートの表示例である。エコレポート８０は、ログインユーザの所定の期間に対する節約状況（後述する節約枚数）を表示する節約枚数表示エリア８１、点数算出部７１で求めた点数を表示する点数エリア８２と、この点数を基に算出される順位を表示する順位表示エリア８３と、印刷状況と再利用状況とから現在のエコ状況について総合的なアドバイスを提供するアドバイス表示エリア８４と、ログインユーザの所属するグループ全体の節約枚数を表示するグループ枚数表示エリア８５と、予め管理者により設定される今月の目標を表示する目標表示エリア８６とを備える。
エコレポート８０は、後述する節約状況に応じてキャラクタ９０が表示される（内容は図８を参照）。算出された順位に対し、前回の順位に対して今回の順位が上がったか、同じか、下がったかを示すランク状況キャラクタ９５を表示する（内容は図１４を参照）。
【００３２】
図２０は、本発明の第２の実施の形態に係る環境負荷低減の点数算出フローチャートである。エコレポート８０の点数エリア８２に表示する点数を求める方法について説明する。
先ず、面数（ｙ２）が０より大きいか否かを判定する（Ａｃｔ２１０）。面数（ｙ２）が０より大きい場合は、点数（ｐｔｏｔａｌ）を計算する（Ａｃｔ２１１）。点数（ｐｔｏｔａｌ）は、両面による削減枚数（ｚｄｕｐｌｅｘ）と、集約による削減枚数（ｚＮｉｎ１）と、再利用枚数（ｚｒｅｕｓｅ）とを足した値を面数（ｙ２）で割った値に１００を乗じた値となる（式１７参照）。
ｐｔｏｔａｌ ＝ (ｚｄｕｐｌｅｘ +ｚＮｉｎ１ +ｚｒｅｕｓｅ ) ÷ ｙ２ × １００      （式１７）
次に、点数（ｐｔｏｔａｌ）が１００よりも大きいか否かを判定し（Ａｃｔ２１２）、１００より大きい場合、点数（ｐｔｏｔａｌ）を１００点とする（Ａｃｔ２１３）。そうでなかった場合（Ａｃｔ２１２でＮｏ）は、計算式で算出した点数（ｐｔｏｔａｌ）が得点となる（Ａｃｔ２１４）。ここで、原稿数（ｙ３）が０以下（実際には０）であった場合（Ａｃｔ２１０でＮｏ）、再利用枚数（ｚｒｅｕｓｅ）が０よりも大きいか否かを判定し（Ａｃｔ２１５）、０よりも大きい場合、すなわち１枚でも再利用を実行した場合は、点数（ｐｔｏｔａｌ）を１００点とする（Ａｃｔ２１６）。そうでなかった場合（Ａｃｔ２１５でＮｏ）、点数（ｐｔｏｔａｌ）は０点とする（Ａｃｔ２１７）。この場合、０点でなくとも、算出不能を示す「−」表示等でも良い。
【００３３】
図２１は、本発明の第２の実施の形態に係る節約状況キャラクタ選定フローチャートである。削減状況キャラクタは点数（ｐｔｏｔａｌ）によって３段階に変化する。予め決められた２段階の閾値ｂ１ｔｏｔａｌとｂ２ｔｏｔａｌ（ｂ１ｔｏｔａｌ＞ｂ２ｔｏｔａｌ）と、算出した点数（ｐｔｏｔａｌ）とからキャラクタを決定する。閾値は、ユーザ毎等で設定できるようにしても良いし、全体の平均値に係数をかけてもよい。
先ず、点数（ｐｔｏｔａｌ）が閾値1（ｂ１ｔｏｔａｌ）よりも大きいか否かを判定し（Ａｃｔ２２０）、点数（ｐｔｏｔａｌ）が閾値1（ｂ１ｔｏｔａｌ）より大きい場合、図８のレベル３のキャラクタを表示する（Ａｃｔ２２１）。以下の場合（Ａｃｔ２２０でＮｏ）には、点数（ｐｔｏｔａｌ）が閾値２（ｂ２ｔｏｔａｌ）よりも大きいか否かを判定し（Ａｃｔ２２２）、点数（ｐｔｏｔａｌ）が閾値２（ｂ２ｔｏｔａｌ）より大きい場合、図８のレベル２のキャラクタを表示する（Ａｃｔ２２３）。以下の場合（Ａｃｔ２２２でＮｏ）は、図８のレベル1のキャラクタを表示する（Ａｃｔ２２４）。
【００３４】
次に、エコレポート８０のグループ節約枚数を求める方法について説明する。グループの節約枚数は、ユーザに対して算出した、両面による削減枚数（ｚｄｕｐｌｅｘ）と集約による削減枚数（ｚＮｉｎ１）と再利用枚数（ｚｒｅｕｓｅ）と同様の計算方法で、グループに対して抽出されたデータを使用して計算する。すなわち、グループに対し算出された両面による削減枚数（ｗｄｕｐｌｅｘ）と、集約による削減枚数（ｗＮｉｎ１）と、再利用枚数（ｗｒｅｕｓｅ）の和がグループの節約枚数（ｗｔｏｔａｌ）となり、計算式、ｗｔｏｔａｌ ＝ｗｄｕｐｌｅｘ +ｗＮｉｎ１ +ｗｒｅｕｓｅで求めることが出来る。
また、「今月の目標」はグループで達成する節約枚数の目標値である。この値は、管理者が図示しないキーボードや、ネットワークＩ／Ｆを介して接続される図示しない管理者用ＰＣで設定する値である。
【００３５】
このような構成をとることにより、第1の実施の形態と同様に、ユーザの用紙の使用状況と再利用状況を組み合わせた形でエコ活動状況を表示することができる。また、ユーザの活動状況と、ユーザが所属するグループの活動状況を同じ画面で示すことで、現在の自分の状況を把握できるだけではなく、グループ全体の状況も把握できるので、よりエコ意識を高めることが出来る。
【００３６】
以上説明した少なくともひとつの実施形態の環境貢献支援装置によれば、用紙削減率算出部で算出した用紙削減率と、用紙再利用率算出部で算出した用紙再利用率とに基づいて最適なメッセージを選択するアドバイス設定部を持つことにより、ユーザに対して印刷環境に貢献するために具体的にどのような操作を行えばよいかを適時にアドバイスすることができる。
【００３７】
本発明は上記の実施の形態に限定されるものではなく、例えば、環境貢献支援装置をサーバで構成したが、ＭＦＰに組み込むものでも、消去装置に組み込むものでも良い。エコレポートに表示されるキャラクタは動画でも良い。
【００３８】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３９】
１０、２０、７０…環境貢献支援装置（サーバ）
２１…ログイン処理部
２２…ユーザデータ集計部
２３…用紙削減率算出部
２４…両面削減算出部
２５…集約削減算出部
２６…印刷状況キャラクタ選択部
２７…用紙再利用率算出部
２８…再利用状況キャラクタ選択部
２９…総合得点算出部
３０…ＣＯ２排出削減量算出部
３１…順位・ランク決定部
３２…アドバイス設定部
３３…用紙削減メッセージ選択部
３４…用紙再利用メッセージ選択部
３５…エコレポート作成部
７１…点数算出部
７２…キャラクタ選択部
７３…順位・ランク決定部
７４…グループ削減算出部
【図１】
0005502939.tif 000002
【図２】
0005502939.tif 000003
【図３】
0005502939.tif 000004
【図４】
0005502939.tif 000005
【図５】
0005502939.tif 000006
【図６】
0005502939.tif 000007
【図７】
0005502939.tif 000008
【図８】
0005502939.tif 000009
【図９】
0005502939.tif 000010
【図１０】
0005502939.tif 000011
【図１１】
0005502939.tif 000012
【図１２】
0005502939.tif 000013
【図１３】
0005502939.tif 000014
【図１４】
0005502939.tif 000015
【図１５】
0005502939.tif 000016
【図１６】
0005502939.tif 000017
【図１７】
0005502939.tif 000018
【図１８】
0005502939.tif 000019
【図１９】
0005502939.tif 000020
【図２０】
0005502939.tif 000021
【図２１】
0005502939.tif 000022